(57)【要約】【課題】２つの挟着部材が両者均一な状態で波形屋根より突出したボルト体に挟着して、安定な状態を維持することができる屋根上取付具を提供する。【解決手段】屋根上取付具Ａは、２つの挟着部材１０、１０のそれぞれがガイド突片１０ａと、該ガイド突片１０ａを貫挿可能な寸法とした貫挿開口部１０ｂとを一体に備えた構造とされ、これら２つの挟着部材１０、１０のガイド突片１０ａ、１０ａと貫挿開口部１０ｂ、１０ｂをそれぞれ雌雄結合させて２つの挟着部材１０、１０が連結する構成となっている。【選択図】図１
2011231522.tif 000002
【特許請求の範囲】
【請求項１】
挟着片を下端内方に向けて折曲形成させた脚片と、該脚片を下方に延出させた台座部とを含んで形成された挟着部材を２つ、上記挟着片を対向させて相互に連結し、上記脚片を緊締して、上記挟着片を相互に近接させ、波形屋根の頂部より突出したボルト体に挟着、固定するようにした屋根上取付具であって、
上記２つの挟着部材のそれぞれは、ガイド突片と、該ガイド突片を貫挿可能な寸法とした貫挿開口部とを一体に備えた構造とされ、これら２つの挟着部材のガイド突片と貫挿開口部をそれぞれ雌雄結合させて２つの挟着部材が連結することを特徴とする屋根上取付具。
【請求項２】
請求項１において、
上記挟着部材は、相互連結されたときに上記台座部の対向面同士が当接する構造とされ、該台座部の対向面に上記ガイド突片と上記貫挿開口部とが設けられている屋根上取付具。
【請求項３】
請求項１において、
上記挟着部材は、相互連結されたときに上記脚片が対向する構造とされ、上記脚片の対向面に上記ガイド突片と上記貫挿開口部とが設けられている屋根上取付具。
【請求項４】
請求項１〜３のいずれか１項において、
上記挟着片を固定するリング体をさらに備えるとともに、
上記一対の挟着片のそれぞれの先端部には、相互に対向する噛合凹部を有した半筒片が起立形成されており、
上記一対の半筒片は、両噛合凹部で上記ボルト体の雄ネジ部を挟持、噛合する構造とされ、上記半筒片の対向挟持によって形成された筒状体の外周胴部に、上記リング体が嵌着されて上記ボルト体に固定されるようになっている屋根上取付具。
【請求項５】
請求項４において、
上記半筒片のすくなくとも一方の外周胴部には突部が形成されている一方、上記リング体の内周部には上記突部を嵌挿可能な突部嵌挿切欠きが形成されている屋根上取付具。
【請求項６】
請求項１〜５のいずれか１項において、
上記挟着部材は、上記波形屋根の頂部に上記脚片の下端が着接して取り付けられるようになっている屋根上取付具。
【発明の詳細な説明】
【技術分野】
【０００１】
本発明は、波形屋根の頂部より突出したボルト体に挟着させて屋根上に取り付けるようにした屋根上取付具に関する。
【背景技術】
【０００２】
一般に、折板屋根（角波形屋根）、丸波形屋根等の波形屋根の上面に、例えばテレビアンテナや空調機器、太陽電池パネル、遮熱シート等の各種機器・部材類を配設することが実施されており、従来には、各種機器・部材類を屋根上に取り付けるための種々の屋根上取付具が提案されている（例えば、特許文献１参照）。
【０００３】
特に、山部と谷部とが交互に連続してなる波形屋根における山部の頂部で、隣接する屋根材同士を重ねてなる重合部をボルト体とナットの螺着によって連結、固定した構造のものでは、重合部を屋根の下方より貫通して屋根上に突出された、屋根材連結のためのボルト体の雄ネジ部を、先端が相対向する挟着片で挟み込んで固定する構造とした屋根上取付具も提案されている。
【０００４】
この屋根上取付具は、略門形に形成した挟着具の両脚片を横方向に貫通する緊締用ボルト、ナットで両脚片を緊締して、両脚片のそれぞれの下端から対向するように延びた両挟着片をボルト体に挟着させる構造となっている。そのため、挟着片の先端がボルト体のネジ溝に食い込んだ状態で固定されるので、屋根上取付具が容易に外れるおそれはない。
【０００５】
また、特許文献１のものは、挟着具が支点連結された一対の挟着部材より構成され、ハゼ部に対して挟着する構成となっているが、この種のものを、両挟着片をボルト体に挟着させる構造に適用させた場合でも、同様に、屋根上取付具が容易に外れるおそれはない。
【先行技術文献】
【特許文献】
【０００６】
【特許文献１】特許第３３６８３７４号
【発明の概要】
【発明が解決しようとする課題】
【０００７】
しかしながら、一対の挟着部材を連結、結合させて屋根上に設置するものでは、それぞれの挟着部材の連結部分に、連結、挟着動作（上記特許文献の例では回転動作）をスムーズにさせるための所定のクリアランスを有しており、そのため片締め（不均一な締め付け）となることもあり、両挟着部材を連結しボルト体に挟着させたときに両者が均一でバランスのとれた状態にならないことがあった。特に、両挟着部材が異なる形状の場合にはその可能性が高い。
【０００８】
さらに上記特許文献のものでは、一対の挟着部材を開閉自在に上板同士で支点連結し、てこの原理で挟着片同士を相互近接させてボルト体に挟着させるようにしているが、支点のみの連結であるため一方にわずかに傾いた状態でボルト体に挟着するおそれがあった。
【０００９】
したがって、このように両挟着部材がバランスの悪い状態で取り付けられると、屋根上取付物（各種機器・部材類）の負荷によって横方向の力が加わったときに傾きが大きくなり、ボルト体への挟着が外れて屋根上取付具が抜け出るおそれもある。特に、脚片が波形屋根の山部の頂部に着接せずに取り付けられるものでは、横方向のわずかな力で傾きが大きくなるので、より不安定なものとなっていた。
【００１０】
このように、２つの挟着部材よりなる屋根上取付具は、上下方向の負荷（真上から引っ張るような力）が作用しても簡単に抜け出るおそれはないが、横方向にはぐらつきやすいという問題点を内在していた。
【００１１】
本発明は、このような問題点を考慮して提案されたもので、その目的は、２つの挟着部材が両者均一な状態で波形屋根より突出したボルト体に挟着して、バランスよく安定した状態を維持することができる屋根上取付具を提供することにある。
【課題を解決するための手段】
【００１２】
上記目的を達成するために、請求項１に記載の屋根上取付具は、挟着片を下端内方に向けて折曲形成させた脚片と、該脚片を下方に延出させた台座部とを含んで形成された挟着部材を２つ、挟着片を対向させて相互に連結し、脚片を緊締して、挟着片を相互に近接させ、波形屋根の頂部より突出したボルト体に挟着、固定するようにした屋根上取付具であって、２つの挟着部材のそれぞれは、ガイド突片と、該ガイド突片を貫挿可能な寸法とした貫挿開口部とを一体に備えた構造とされ、これら２つの挟着部材のガイド突片と貫挿開口部をそれぞれ雌雄結合させて２つの挟着部材が連結することを特徴とする。
【００１３】
請求項２に記載の屋根上取付具は、挟着部材が相互連結されたときに台座部の対向面同士が当接する構造とされ、該台座部の対向面にガイド突片と貫挿開口部とが設けられている。
【００１４】
請求項３に記載の屋根上取付具は、挟着部材が相互連結されたときに脚片が対向する構造とされ、脚片の対向面にガイド突片と貫挿開口部とが設けられている。
【００１５】
請求項４に記載の屋根上取付具は、挟着片を固定するリング体をさらに備えるとともに、一対の挟着片のそれぞれの先端部には、相互に対向する噛合凹部を有した半筒片が起立形成されており、一対の半筒片は、両噛合凹部でボルト体の雄ネジ部を挟持、噛合する構造とされ、半筒片の対向挟持によって形成された筒状体の外周胴部に、リング体が嵌着されてボルト体に固定されるようになっている。
【００１６】
請求項５に記載の屋根上取付具は、半筒片のすくなくとも一方の外周胴部には突部が形成されている一方、リング体の内周部には突部を嵌挿可能な突部嵌挿切欠きが形成されている。
【００１７】
請求項６に記載の屋根上取付具は、挟着部材が波形屋根の頂部に脚片の下端が着接して取り付けられるようになっている。
【発明の効果】
【００１８】
請求項１に記載の屋根上取付具によれば、２つの挟着部材のそれぞれは、ガイド突片と、ガイド突片を貫挿可能な寸法とした貫挿開口部とを一体に備え、これら２つの挟着部材のガイド突片と貫挿開口部をそれぞれ雌雄結合させて２つの挟着部材を連結させるようになっているので、両挟着部材はバランスよく均一な状態で結合して、波形屋根より突出したボルト体に挟着できる。つまり、各挟着部材が雌雄一体構造であるため、片締めになる可能性は低く、バランスよく結合できる。バランスのよい状態でボルト体に挟着できるため、外力が作用しても安定した状態を維持しやすく、屋根上取付具がボルト体から抜け出すおそれもない。
【００１９】
さらに、ガイド突片と貫挿開口部とを挟着部材の対称位置に形成することで２つの挟着部材を同一形状とすることができ、その結果、２つの挟着部材を一種類の部品で構成することができる。
【００２０】
また、ガイド突片と貫挿開口部とを２組使用する構成であるため、結合した状態でぐらつきをなくすことができ、その後の緊締等の挟着操作をしやすくできる。
【００２１】
請求項２に記載の屋根上取付具によれば、２つの挟着部材の台座部の対向面にガイド突片と貫挿開口部とが設けられた構造であるため、ガイド突片と貫挿開口部とを相互に隣接するように設けることで、結合操作をきわめてしやすくできる。
【００２２】
請求項３に記載の屋根上取付具によれば、２つの挟着部材の脚片の対向面にガイド突片と貫挿開口部とが設けられた構造であるため、脚片の一側端にガイド突片を形成し、他側端に貫挿開口部を形成することで、挟着部材同士を両側方部で結合させることができ、その結果、結合強度の向上を図ることができる。
【００２３】
請求項４に記載の屋根上取付具によれば、一対の挟着片に設けた両半筒片の両噛合凹部でボルト体の雄ネジ部を挟持、噛合し、それら半筒片の対向挟持によって形成された筒状体の外周胴部にリング体を嵌着してボルト体に固定するようにしているので、２つの挟着部材をボルト体へ確実に固定させることができる。つまり、ガイド突片と貫挿開口部とによる結合と、リング体による結合とにより２つの挟着部材を強固に一体化できる。
【００２４】
請求項５に記載の屋根上取付具によれば、半筒片のすくなくとも一方の外周胴部には突部が形成されているので、リング体の内周部に形成した、突部を嵌挿可能な突部嵌挿切欠きを位置合わせしてリング体を半筒片に嵌め入れてから、回転させて位置をずらすようにすれば、嵌着後にリング体が上方へ抜け出すことをを防止できる。
【００２５】
請求項６に記載の屋根上取付具によれば、挟着部材が波形屋根の頂部に脚片の下端が着接して取り付けられるようになっているので、屋根上での安定した状態を確実に維持できる。
【図面の簡単な説明】
【００２６】
【図１】本発明に係る屋根上取付具の一実施形態の説明図であり、屋根上取付具の波形屋根への取り付け前の状態を示した斜視図である。
【図２】同屋根上取付具の波形屋根への取り付け後の状態を示した斜視図である。
【図３】（ａ）は同屋根上取付具の波形屋根への取り付け後の状態を示した部分断面正面図、（ｂ）は同側面図である。
【図４】（ａ）、（ｂ）は、同屋根上取付具の施工手順を示す部分断面正面図である。
【図５】（ａ）、（ｂ）は、本発明に係る屋根上取付具の他の２実施形態を示す一部破断分解斜視図である。
【発明を実施するための形態】
【００２７】
図１は、本発明に係る屋根上取付具の一実施形態の説明図であり、屋根上取付具の波形屋根への取り付け前の状態を示した斜視図である。図２は、同屋根上取付具の波形屋根への取り付け後の状態を示した斜視図である。図３（ａ）は屋根上取付具の波形屋根への取り付け後の状態を示した部分断面正面図、図３（ｂ）は同側面図である。図４（ａ）、（ｂ）は、屋根上取付具の施工手順を示す部分断面正面図である。
【００２８】
この屋根上取付具Ａが取り付けされる波形屋根としては、図例として示した折板屋根Ｙ（角波形屋根）や丸波形屋根が挙げられる。また、屋根の素材としては、金属や合成樹脂、セメント系等のものが適用できる。
【００２９】
図例として示した折板屋根Ｙは、山部Ｙ１と谷部Ｙ２が交互に連続する屋根であって、複数の折板屋根材を側端縁の山部Ｙ１の頂部Ｙ１ａで重合し、その重合部でボルト体ＢとナットＢ２の螺着によって連結した重ね式接合構造となっている。また、ボルト孔からの水の浸入を防止するために、ナットＢ２と頂部Ｙ１ａとの間に防水パッキンＣ１が取り付けられ、さらに、ナットＢ２と防水パッキンＣ１との間に防水パッキンＣ１を覆う山座Ｃが設けられている。
【００３０】
また、折板屋根Ｙの裏側には、正面視で折板屋根Ｙと略同形状をなす、ボルト止めのための支持金具Ｙ３が取り付けられている。なお、屋根上取付具Ａを取り付けるためのボルト体Ｂの取付位置は隣接する折板屋根材の接合部に限らず、他の頂部に支持金具Ｙ３を用いてボルト体Ｂを取り付けてもよい。
【００３１】
屋根上取付具Ａは、金属板または硬質樹脂板よりなり、折板屋根Ｙの頂部Ｙ１ａより上方に突出した重合部連結用のボルト体Ｂに挟着して、取り付け、固定する構造となっている。
【００３２】
この屋根上取付具Ａは、連結して挟着具１を構成するための２つの挟着部材１０を含んで構成されており、２つの挟着部材１０、１０はそれぞれ、ボルト体Ｂを挟着する挟着片１３を下端内方に向けて折曲形成させた脚片１２と、脚片１２を下方に延出させた台座部１１とを含んで、同一寸法、同一形状に形成されている。
【００３３】
それぞれの台座部１１における、２つの挟着部材１０、１０を連結する際に相互に隣接する辺縁中央には、屋根上取付物取付用の取付ボルト３を挟み込んで固定するための切欠き凹所１１ｂが形成されている。そして、その辺縁の切欠き凹所１１ｂの両側方には、辺縁より垂下した対向片１１ａが分離形成されており、一側方の対向片１１ａには対向する相手側の挟着部材１０の対向片１１ａの方向に向かって突出したガイド突片１０ａが形成され、他側方の対向片１１ａには、そのガイド突片１０ａを貫挿可能な寸法とした貫挿開口部１０ｂが形成されている。
【００３４】
すなわち、一方の挟着部材１０のガイド突片１０ａが他方の挟着部材１０の貫挿開口部１０ｂに貫挿し、かつ他方の挟着部材１０のガイド突片１０ａが一方の挟着部材１０の貫挿開口部１０ｂに貫挿することで、２つの挟着部材１０、１０は結合する。つまり、両挟着部材１０、１０はそれぞれ雌雄一体構造であり、２組の雌雄部によって相互に結合する。
【００３５】
なお、挟着具１は２つの挟着部材１０、１０の結合とともに、緊締用ボルト２５と緊締用ナット２６との螺合による緊締によって一体化固定する構成であるため、貫挿による結合によって両者が固定状態にならなくてもよく、そのためガイド突片１０ａの貫挿開口部１０ｂに対する貫挿は遊貫であってもよい。結合バランスの調整のしやすさを考慮すれば、遊貫構造とするほうが望ましい。
【００３６】
挟着具１は、２つの挟着部材１０、１０の各挟着片１３の先端を相互に近接させて、ボルト体Ｂに挟着する構造となっている。挟着具１の緊締は、対向する両脚片１２、１２に開設された軸孔１２ａ、１２ａに貫通された緊締用ボルト２５と、緊締用ナット２６との螺合によってなされる。なお、２７はワッシャである。また、台座部１１の中央に立設された取付用ボルト３に、各種機器・部材類を取り付け可能にしている。
【００３７】
また、脚片１２の下端より折曲形成された挟着片１３は、基部片１３ａと段部片１３ｂとを先端に向けて昇段状に備えた形状となっている。基部片１３ａは挟着具１を屋根上に取り付けたときに頂部Ｙ１ａに着接するように形成され、一方、段部片１３ｂは挟着具１を屋根上に取り付けたときに山座Ｃの上に配したナットＢ２よりも高く配されるように形成されている。つまり、２つの挟着部材１０、１０は、挟着具１を屋根上に取り付けたときには、山座Ｃおよびその上のナットＢ２と抵触しないように折板屋根Ｙの頂部Ｙ１ａに着接された状態となる。
【００３８】
また、段部片１３ｂの先端中央には、横断面が円筒を縦割りした略半円筒の形状をなし、相互に対向する噛合凹部１４ａを有した半筒片１４が起立形成されている。半筒片１４の噛合凹部１４ａには、ボルト体Ｂの雄ネジ部Ｂ１と螺合する雌ネジ部１４ｂが形成されている。また、半筒片１４の外周胴部１４ｃには突部１４ｄが形成されている。なお、雌ネジ部１４ｂの代わりにボルト体Ｂの雄ネジ部Ｂ１に噛合できる突条等を設けてもよい。また、半筒片１４の横断面形状は、半円弧よりも円弧角度の小さなものでもよい。またさらに、噛合凹部１４ａは、ボルト体Ｂの雄ネジ部Ｂ１の形状に合致した湾曲形状でなくてもよく、ボルト体Ｂの雄ネジ部Ｂ１の外面に部分的に係着できるような形状であってもよい。
【００３９】
これら半筒片１４、１４は、両噛合凹部１４ａ、１４ａでボルト体Ｂの雄ネジ部Ｂ１を挟持、噛合する構造であり、ボルト体Ｂへの挟持によって両半筒片１４、１４によりできた筒状体１５の外周胴部に、別体のリング体３０が嵌着されて、両半筒片１４、１４が相互に離間しないようになっている。
【００４０】
リング体３０は、上記筒状体１５を嵌め入れる開口３１を有しているとともに、その内周部には半筒片１４の突部１４ｄを嵌挿可能な突部嵌挿切欠き３１ａが形成されている。
【００４１】
リング体３０は、突部嵌挿切欠き３１ａを突部１４ｄに位置合わせして筒状体１５に嵌め入れ、最下端まで落とし込み、さらに回転させることで突部嵌挿切欠き３１ａと突部１４ｄとの位置をずらして、その後にリング体３０が上方へ抜け出ないようにしている。
【００４２】
なお、図例（図３（ａ）参照）では、それぞれの半筒片１４に突部１４ｄが形成されているが、一方のみに形成したものでもよい。
【００４３】
以上のように構成した本発明の屋根上取付具Ａは、以下の要領で折板屋根Ｙに取り付けて使用する。
【００４４】
まず、一方の挟着部材１０の台座部１１の切欠き凹所１１ｂに取付用ボルト３の軸部を嵌め入れ、上方に突き出た軸部に落下防止プレート４を装着して仮止めしておく。つぎに、２つの挟着部材１０、１０の脚片１２、１２の軸孔１２ａ、１２ａに緊締用ボルト２５の軸部を貫通させたうえで、緊締用ボルト２５の先端側から緊締用ナット２６を軽く締めるとともに、２つの挟着部材１０、１０のガイド突片１０ａと貫挿開口部１０ｂを軽く雌雄結合（ガイド突片１０ａの先端部を貫挿開口部１０ｂに挿入）させて仮止め状態にし、その挟着具１を、折板屋根Ｙより突出したボルト体Ｂの上方から、半筒片１４、１４の噛合凹部１４ａ、１４ａ間にボルト体Ｂが嵌挿されるようにして折板屋根Ｙの頂部Ｙ１ａの上面に載置する（図３（ａ）、（ｂ）参照）。
【００４５】
次に、仮止め状態にしていた緊締用ボルト２５および緊締用ナット２６を締め付けていくと、２つのガイド突片１０ａ、１０ａが対応した貫挿開口部１０ｂ、１０ｂに貫挿して２つの台座部１１、１１が隙間なく密着する。それと同時に、螺合による締め付け力によって両脚片１２、１２が近接して、両半筒片１４、１４が相互に近づき、両噛合凹部１４ａ、１４ａがボルト体Ｂの雄ネジ部Ｂ１をその周囲を取り囲むように挟み込むとともに、両半筒片１４、１４の雌ネジ部１４ｂ、１４ｂと、ボルト体Ｂの雄ネジ部Ｂ１とが相互に噛み合って、螺合関係を形成する（図４（ａ）、図４（ｂ）参照）。
【００４６】
さらに、リング体３０を２つの半筒片１４、１４によってできた筒状体１５に嵌めこみ、突部嵌挿切欠き３１ａを突部１４ｄに位置合わせしてリング体３０を最下端（挟着片の上面）まで落としこみ、リング体３０を回転させて突部１４ｄと突部嵌挿切欠き３１ａの位置をずらすことで挟着具１の取り付けが完了する（図３（ａ）参照）。
【００４７】
こうして折板屋根Ｙに取り付けた屋根上取付具Ａの台座部１１の上には、各種機器・部材類を取り付けることができる（図４（ｂ）参照）。
【００４８】
以上に示した施工手順例では、２つの挟着部材１０、１０を仮結合させた状態で折板屋根Ｙ上に取り付けるようにしているが（図３（ａ）、（ｂ）参照）、両挟着部材１０、１０を分離した状態でボルト体Ｂを挟んで折板屋根Ｙ上に載置してから、両挟着部材１０、１０をスライドさせながら結合させるようにしてもよい。
【００４９】
以上に示した屋根上取付具Ａによれば、２つの挟着部材１０、１０のそれぞれが、ガイド突片１０ａと、貫挿開口部１０ｂとを一体に備えて雌雄一体構造となっているため、両者をバランスよく均一な状態で結合させて折板屋根Ｙより突出したボルト体Ｂに挟着させることができる。このように、バランスのよい状態でボルト体Ｂに挟着できるため、外力が加わっても安定した状態を維持することができ、挟着具１がボルト体Ｂから抜け出すことを防止できる。
【００５０】
さらに、図例のように、ガイド突片１０ａと貫挿開口部１０ｂとを、辺縁中央の切欠き凹所１１ｂをはさんで対称位置に形成すれば、２つの挟着部材１０、１０を同一形状とすることができ、その結果、２つの挟着部材１０、１０を一種類の部品で構成することができる。
【００５１】
なお、一方の挟着部材に２つのガイド突片を設け、他方の挟着部材に、そのガイド突片に対応する２つの貫挿開口部を設けたものでも２組の雌雄結合により連結できるため、ある程度の結合安定感は得られるが、２つの挟着部材は相互に異なる形状となるため、本実施形態の屋根上取付具Ａと同程度の均一な結合は期待できない。
【００５２】
また本実施形態のものは、挟着部材１０の台座部１１の対向片１１ａに、ガイド突片１０ａと貫挿開口部１０ｂとを切欠き凹所１１ｂをはさんで近傍位置に形成させた構造であるため、貫挿による結合操作がきわめてしやすい。
【００５３】
さらに、本実施形態のものは、脚片１２の下端および挟着片１３の基部片１３ａの外面が折板屋根Ｙの頂部Ｙ１ａに着接した状態に挟着部材１０が取り付けられるようになっているので、折板屋根Ｙ上での安定した状態を確実に維持できる。なお、脚片１２の下端のみが頂部Ｙ１ａに接触する程度のものでもよい。また、より確実な安定維持を図るために、接着テープ等で基部片１３ａを頂部Ｙ１ａに固着するようにしてもよい。
【００５４】
また、リング体３０をボルト体Ｂを挟持した状態の半筒片１４に嵌着させて固定する構造となっているので、リング体３０の嵌着によって一対の挟着片１３、１３はボルト体Ｂより離れるおそれはない。また、リング体３０の嵌着は、脚片１２の緊締による挟着作用および半筒片１４の噛合凹部１４ａによる嵌着（係着）作用にあいまって、挟着具１のボルト体Ｂへの挟着力を高めることができる。
【００５５】
さらに、半筒片１４の外周胴部１４ｃに突部１４ｄが形成されているので、リング体３０を筒状体１５に嵌め入れてから回転させて位置をずらすようにすれば、突部１４ｄによってリング体３０が上方へ抜け出すことを防止できる。
【００５６】
ついで、本発明に係る屋根上取付具の他の実施形態について説明する。
【００５７】
図５（ａ）、（ｂ）は、本発明に係る屋根上取付具の他の２実施形態を示す一部破断分解斜視図である。この図においては、折板屋根、ボルト体、取付ボルト、緊締用ボルト、リング体等の図示は省略し、挟着具１のみを図示している。
【００５８】
これらの屋根上取付具Ａは、図１に示した屋根上取付具Ａと同様に、挟着具１が２つの同一形状の挟着部材１０、１０よりなるが、それぞれの挟着部材１０の構造が図１のものとは異なり、脚片１２にガイド突片１０ａおよび貫挿開口部１０ｂが設けられている。
【００５９】
具体的には、脚片１２は台座部１１の３辺より折曲形成され、両側端の２脚片１２、１２には内方に折曲された対向片（対向面）１２ｂ、１２ｂが分離形成されている。図５（ａ）では、一方の対向片１２ｂにガイド突片１０ａが形成され、他方の対向片１２ｂには貫挿開口部１０ｂが形成され、また図５（ｂ）では、一方の対向片１２ｂにガイド突片１０ａ、貫挿開口部１０ｂが形成され、他方の対向片１２ｂには上下位置を一方の対向片１２ｂと異ならせて貫挿開口部１０ｂ、ガイド突片１０ａが形成されている。
【００６０】
すなわち、図５（ａ）では２組のガイド突片１０ａ、貫挿開口部１０ｂの組み合わせによって２つの挟着部材１０、１０が結合し、図５（ｂ）では４組のガイド突片１０ａ、貫挿開口部１０ｂの組み合わせによって２つの挟着部材１０、１０が結合する構造となっている。
【００６１】
なお、本実施形態では挟着片１３によるボルト体Ｂへの挟着構造については図１のものと同様であるため説明を割愛する。
【００６２】
本実施形態の屋根上取付具Ａによれば、挟着部材１０の脚片１２の両側端の対向片（対向面）１２ｂ、１２ｂにガイド突片１０ａと貫挿開口部１０ｂとが形成されているため、挟着部材１０、１０同士を離間した２箇所で結合させることができ、その結果、結合強度を高めることができる。特に、図５（ｂ）では４組のガイド突片１０ａ、貫挿開口部１０ｂによって結合するので、安定感はきわめて高い。
【００６３】
以上に示した実施形態では、ボルト体Ｂを２つの半筒片１４、１４で挟着させ、リング体３０で固定する構造となっているが、他の挟着構造、たとえば挟着片１３の先端に凹所を設け、その凹所の内縁でもってボルト体Ｂの雄ネジ部Ｂ１に係止される構造であってもよい。
【符号の説明】
【００６４】
Ａ      屋根上取付具
１      挟着具
１０      挟着部材
１０ａ      ガイド突片
１０ｂ      貫挿開口部
１１      台座部
１１ａ      対向片
１１ｂ      切欠き凹所
１２      脚片
１２ａ      軸孔
１３      挟着片
１３ａ      基部片
１３ｂ      段部片
１４      半筒片
１４ａ      噛合凹部
１４ｂ      雌ネジ部
１４ｃ      外周胴部
１４ｄ      突部
１５      筒状体
３０      リング体
３１      開口
３１ａ      突部嵌挿切欠き
Ｂ      ボルト体
Ｂ１      雄ネジ部
Ｂ２      ナット
Ｙ      折板屋根（波形屋根）
Ｙ１      山部
Ｙ１ａ      頂部
【図１】
2011231522.tif 000003
【図２】
2011231522.tif 000004
【図３】
2011231522.tif 000005
【図４】
2011231522.tif 000006
【図５】
2011231522.tif 000007